(57)【特許請求の範囲】
【請求項１】
文字模様を表示する液晶表示板の背後に設けられた光拡散板と、前記光拡散板を透して前記液晶表示板を照射するバックライトと、前記バックライトを覆う反射ケースと、前記反射ケースと前記液晶表示板との間の空間を囲む反射ケース蓋を備えた照明装置であって、前記液晶表示板と前記光拡散板の間に摺動可能なスクリーンと、摺動時に前記スクリーンが待避する待避空間と、前記スクリーンを摺動するための駆動手段を備える事を特徴とする照明装置。
【請求項２】
記録媒体を再生する記録媒体再生装置の近傍に設置された請求項１記載の照明装置であって、反射ケース蓋において記録媒体に近接する部分に、バックライトの光を通す外部照明孔を備えることを特徴とする請求項１記載の照明装置。
【発明の詳細な説明】
【０００１】
【発明の属する技術分野】
本発明は、照明装置を備えた液晶表示板を有する電子機器の照明装置に関するもので、テープ媒体、光ディスク（ＣＤ，ＤＶＤ等）のような記録媒体を駆動する機器に適応でき、特に光ディスクのディスク駆動機器に好都合なものである。
【０００２】
【従来の技術】
従来、ＣＤ付きラジオカセットやミニコンポ等の機器において、液晶による機器の動作内容の表示が行われ、その液晶による表示を見やすくするように照明装置が種々提案されている。
【０００３】
図５は従来の液晶の照明装置の側面断面図を示すものである。図５において、キャビネット１０１に構成された透明パネル２の背後に液晶駆動回路を配した印刷配線基板１０４に半田付けされた液晶表示板３を備え、液晶表示板３の背後には、バックライト１２及びバックライト１２を覆う反射ケース１１と、バックライト１２と液晶表示板３の間に光拡散板１０が反射ケース１１と反射ケース蓋１０５に挟まれて構成されている。これによって、バックライト１２の点灯光が反射ケース１１及び光拡散板１０により明るさがより均等化し液晶表示板３を通過するので、液晶にうつった模様・文字等が映えて描写される。
【０００４】
【発明が解決しようとする課題】
近年、電子機器の市場においては、動きや照明の変化を持たせる事が要求されている。しかし、このような液晶の照明装置においては、機器の電源を入り切りするとき瞬時に照明が点燈、又は消燈するのみであった。また、機器を暗い部屋で使用する際、液晶の照明が明るすぎるという課題に対しては、照明への供給電流を減らして照明の光量を落とすという作法となっており、瞬時に照明が暗くなるのみで、動きや照明の変化という市場の要求に対し、十分に対応されていなかった。また、機器を暗い部屋で使用する際、機器に収納されているディスクや出し入れするディスクの表示が見えにくい構成となっていた。
【０００５】
本発明は、上記のような従来の問題点を解決し、機器の電源を入り切りするときの液晶の照明の点燈、消燈や、機器を暗い部屋で使用するときの液晶の照明の光量を落とす際、照明の減光・照光に動きを見せ照明を変化させることにより高級感を醸し、また、機器を暗い部屋で使用する際、機器に収納されているディスクや出し入れするディスクの表示を見えやすくする液晶の照明装置を提供することを目的としてなされたものである。
【０００６】
【課題を解決するための手段】
この課題を解決するために本発明の液晶の照明装置は、液晶表示板と光拡散板の間に摺動可能なスクリーンと、摺動時にスクリーンが待避する待避空間と、スクリーンを摺動するための駆動手段を備えたものである。
【０００７】
これにより、機器の電源を入り切りするときの液晶の照明の点燈、消燈や、機器を暗い部屋で使用するときの液晶の照明の光量を落とす際、動きを見せ照明を変化させることにより高級感があり、また、機器を暗い部屋で使用する際、機器に収納されているディスクや出し入れするディスクの表示を見えやすくする液晶の照明装置が得られる。
【０００８】
【発明の実施の形態】
本発明の請求項１に記載の発明は、液晶表示板の背後に光拡散板と、光拡散板を透して液晶を照射するバックライトと、バックライトを覆う反射ケースと、反射ケースと液晶表示板との間の空間を囲む反射ケース蓋を備えた照明装置において、液晶表示板と光拡散板の間に摺動可能なスクリーンと、摺動時にスクリーンが待避する待避空間と、スクリーンを摺動するための駆動手段を備え、照明を明るくして使用する際はスクリーンが待避し、照明を暗くしたり照明の色を変える際はスクリーンが液晶表示板と光拡散板の間に位置するように摺動するよう構成したものであり、スクリーンの動きが機器の外部より液晶を通して見えると同時に、スクリーンの動きに合わせて、照明の明るさや色を変化させる事ができる高級感のある液晶の照明装置が得られるという作用を有する。
【０００９】
請求項２に記載の発明は、記録媒体を再生する記録媒体再生装置の近傍に設置され、反射ケース蓋において記録媒体に近接する部分に、バックライトの光を通す外部照明孔を備えることを特徴とするものであり、機器を暗い部屋で使用する際、機器に収納されている記録媒体であるディスクや出し入れするディスクの表示を見えやすくする液晶の照明装置が得られるという作用を有する。
【００１０】
以下本発明の実施の形態について、図面を用いて説明する。
【００１１】
（実施の形態１）
図１は本発明の第１の実施の形態における照明装置の液晶部分の側面断面図を示し、図２は駆動手段部分の側面断面図、図３は上面方向より見た断面図を示している。
【００１２】
図１〜図３において、キャビネット１に構成された透明パネル２の背後に液晶駆動回路を配した印刷配線基板４に半田付けされた液晶表示板３が構成され、液晶表示板３の背後に光拡散板１０と、光拡散板１０を透して液晶表示板３を照射するバックライト１２と、バックライト１２を覆う反射ケース１１と、反射ケース１１と液晶表示板３との間の空間を囲む反射ケース蓋５が構成されている。液晶表示板３と光拡散板１０の間には摺動可能な、半透光性の材料からなるスクリーン７と、摺動時にスクリーン７が待避する待避空間９が構成されている。スクリーン７の両側に一体に形成されたスクリーン軸８は、スクリーン７の両側に構成されたラック２０の係合部２１に係合され、モータ１７の軸に挿入された駆動ギア１８は伝達ギア１９に、伝達ギア１９はラック２０に噛み合って構成されている。
【００１３】
さらに、液晶表示板３の下方には、記録媒体であるディスク１６を載置して再生するディスク再生装置１４が構成され、反射ケース蓋５のディスク１６に近接する位置にはディスク照明孔６が形成されている。
【００１４】
以上のように構成された液晶の照明装置について、以下その動作について説明する。
【００１５】
まず機器の電源を入れるとバックライト１２が点燈する。前述したように、スクリーン７を半透過の材料としておくことにより、機器の電源を入れると液晶表示板３は、まず瞬時にバックライト１２が点燈するが、半透過のスクリーン７を介して液晶表示板３が照射されるために液晶表示板３は光量の少ない状態に見える（図４（ａ）の液晶表示部の模式図参照。なお、実際は液晶上に「ＰｏｗｅｒＯＮ」や「Ｗｅｌｃｏｍｅ」等の表示が出るが、図示は略す。以下同）。
【００１６】
すぐに、モータ１７が回転し、モータ１７の回転が駆動ギア１８、伝達ギア１９、ラック２０と順次伝達され、ラック２０が上方に移動し、ラック２０に係合されているスクリーン７も上方に移動する。スクリーン７の上昇につれて下方より徐々に上方に向けて光量が増加した部分が同図（ｂ）の矢印のように広がる。
【００１７】
スクリーン７が上昇し終わると、モータ１７の回転が停止し、半透光のスクリーン７のない状態すなわち最大光量の状態で液晶が表示される（同図（ｃ））。
【００１８】
逆に、機器の電源を切るとまずモータ１７が逆回転し、上記と逆にスクリーン７が下降し始め、下降につれて上方より徐々に下方に向けて光量の少ない部分が広がり、スクリーン７が下降し終えるとバックライト１２が消燈する。
【００１９】
機器を暗い部屋で使用するとき等、液晶表示板３の照明光量を落として使用したいときは、バックライト１２を点燈したままでスクリーン７を下降させれば、液晶表示板３を通して見える光量を減少させることができる。
【００２０】
また、ディスク照明孔６から漏れる光はディスク１６を照射しており、暗い部屋においては、ディスク１６の表示を見る事が可能となる。又、周知のようにディスクの１６交換時など、ディスク再生装置１４においてディスクを載置しているローディングトレイ１５が出る際は、スクリーン７が上昇するように構成することによりローディングトレイ１５上のディスク１６を照射する光は増加でき、ディスクの出し入れの移動が認識しやすい。
【００２１】
以上のように本実施の形態によれば、スクリーン７の上下動により液晶表示板３を背後から照射する光量を徐々に変化させる事ができると同時に、機器を暗い部屋で使用する際に機器内に収納されているディスクや交換するディスクを照射する事ができることとなる。
【００２２】
なお、本実施の形態によれば、スクリーン７を上下動させているが、図４（ｄ）に示すように、左右に開閉するスクリーンとしても同様の効果が得られる。
【００２３】
また、スクリーン７の半透過の材料に色を追加する事により、液晶表示板３を背後から照射する光量だけでなく、色をも徐々に変化させる事ができる。さらに、図４（ｅ）のようにスクリーン７の端部近傍を凸レンズ状にすることで、同図（ｆ）のようにスクリーンによる照射光量の明暗の境界に輝線を作り、スクリーンの上下移動をより際だたせることもできる。
【００２４】
【発明の効果】
以上のように本発明によれば、機器の電源を入り切りするときの液晶の照明の点燈、消燈や、機器を暗い部屋で使用するときの液晶の照明の光量を落とす際、動きを見せ照明を変化させることにより高級感を醸すという効果が得られる。
【００２５】
また、機器を暗い部屋で使用する際、機器に収納されているディスクや出し入れするディスクの表示を見えやすくすることもできるという有利な効果が得られる。
【図面の簡単な説明】
【図１】本発明の一実施の形態による照明装置の液晶部分の側面断面図
【図２】同、照明装置の駆動手段部分の側面断面図
【図３】同、照明装置の上面方向より見た断面図
【図４】（ａ）液晶表示部模式図（スクリーンの閉じた状態を示す図）
（ｂ）同、（スクリーンの開閉時状態（矢印は開く動作中を示す）を示す図）
（ｃ）同、（スクリーンの開いた状態を示す図）
（ｄ）別の例のスクリーン端部近傍の断面図
（ｆ）別の例のスクリーンによる液晶表示部模式図（スクリーンの開閉時状態）
【図５】従来の液晶の照明装置の側面断面図
【符号の説明】
３  液晶表示板
５  反射ケース蓋
６  ディスク照明孔
７  スクリーン
９  待避空間
１０  光拡散板
１１  反射ケース
１２  バックライト
１４  ディスク再生装置
１５  ローディングトレイ
１６  ディスク
１７  モータ
２０  ラック
【図１】
0004013447.tif 000002
【図２】
0004013447.tif 000003
【図３】
0004013447.tif 000004
【図４】
0004013447.tif 000005
【図５】
0004013447.tif 000006